【手続補正書】
【提出日】平成20年2月19日(2008.2.19)
【手続補正１】
【補正対象書類名】特許請求の範囲
【補正対象項目名】全文
【補正方法】変更
【補正の内容】
【特許請求の範囲】
【請求項１】
第１の基板上に複数の第１の画素及び第２の画素を備え、
前記第１の画素は第１の画素電極と、この第１の画素電極上に絶縁膜を介して配置され、
複数の第１のスリットを有する第１の共通電極とを備え、
前記第２の画素は、第２の共通電極と、この第２の共通電極上に前記絶縁膜を介して配置され、複数の第２のスリットを有する第２の画素電極とを備え、
第１の行に、第１の画素を繰り返し配置し、第１の行に隣接した第２の行に、第２の画素を繰り返し配置し、前記第１の基板と、この第１の基板と対向する第２の基板の間に液晶を封入したことを特徴とする液晶表示装置。
【請求項２】
複数の第１の画素にそれぞれ配置された第１の共通電極が互いに一体化され、複数の第２の画素にそれぞれ配置された第２の共通電極が一体化されていることを特徴とする請求項１に記載の液晶表示装置。
【請求項３】
第１の基板上に複数の第１の画素及び第２の画素を備え、
前記第１の画素は第１の画素電極と、この第１の画素電極上に絶縁膜を介して配置され、
複数の第１のスリットを有する第１の共通電極とを備え、
前記第２の画素は、第２の共通電極と、この第２の共通電極上に前記絶縁膜を介して配置され、複数の第２のスリットを有する第２の画素電極とを備え、
第１の列に、第１の画素を繰り返し配置し、第１の列に隣接した第２の列に、第２の画素を繰り返し配置し、前記第１の基板と、この第１の基板と対向する第２の基板の間に液晶を封入したことを特徴とする液晶表示装置。
【請求項４】
第１の基板上に複数の第１の画素及び第２の画素を備え、
前記第１の画素は第１の画素電極と、この第１の画素電極上に絶縁膜を介して配置され、
複数の第１のスリットを有する第１の共通電極とを備え、
前記第２の画素は、第２の共通電極と、この第２の共通電極上に前記絶縁膜を介して配置され、複数の第２のスリットを有する第２の画素電極とを備え、
第１の行に、第１の画素と第２の画素を交互に繰り返し配置し、第１の行に隣接した第２の行に、第１の画素と第２の画素を第１の行とは逆の順序で繰り返し配置し、前記第１の基板と、この第１の基板と対向する第２の基板の間に液晶を封入したことを特徴とする液晶表示装置。
【請求項５】
前記第１の画素電極及び前記第２の共通電極が第１層透明電極からなり、前記第２の画素電極及び前記第１の共通電極が第２層透明電極からなることを特徴とする請求項１、２、３、４のいずれかに記載の液晶表示装置。
【請求項６】
前記第１及び第２の画素電極に、１水平期間毎に共通電位に対して、反転された表示信号を供給することを特徴とする請求項３に記載の液晶表示装置。
【請求項７】
前記第１及び第２の画素電極に、１垂直期間毎に共通電位に対して反転された表示信号を供給することを特徴とする請求項１、２、４のいずれかに記載の液晶表示装置。
【請求項８】
前記第１及び第２の共通電極に１水平期間毎に極性が反転された共通電位を供給することを特徴とする請求項３に記載の液晶表示装置。
【請求項９】
前記第１及び第２の共通電極に１垂直期間毎に極性が反転された共通電位を供給することを特徴とする請求項１、２、４のいずれかに記載の液晶表示装置。
【請求項１０】
前記第１の画素電極に第１の薄膜トランジスタが接続され、前記第２の画素電極に第２の薄膜トランジスタが接続されていることを特徴とする請求項１、２、３、４のいずれかに記載の液晶表示装置。
【手続補正２】
【補正対象書類名】明細書
【補正対象項目名】０００７
【補正方法】変更
【補正の内容】
【０００７】
そして、コンタクトホールＣＨ１を通してソース領域１２ｓと接続されたソース電極１７、コンタクトホールＣＨ２を通してドレイン領域１２ｄと接続された表示信号ライン１８が形成され、コンタクトホールＣＨ３を通して共通電位ライン１５と接続された電極１９が形成されている。
ソース電極１７、表示信号ライン１８、電極１９は、アルミニウムもしくはアルミニウム合金を含む金属等からなる。次に、全面に平坦化膜２０が形成される。平坦化膜２０には、ソース電極１７、電極１９をそれぞれ露出するコンタクトホールＣＨ４、ＣＨ５が形成される。
【手続補正３】
【補正対象書類名】明細書
【補正対象項目名】００１１
【補正方法】変更
【補正の内容】
【００１１】
上記液晶表示装置では、画素電極２１に表示電圧が印加されない状態（無電圧状態）では、液晶４０の液晶分子の長軸の平均的な配向方向（以降、単に「配向方向」と略称する）が偏光板３２の偏光軸と直交する傾きとなる。このとき、液晶４０を透過する直線偏光は、その偏光軸が偏光板３１の偏光軸と直交するため、偏光板３１から出射されない。即ち表示状態は黒表示となる（ノーマリーブラック）。
【手続補正４】
【補正対象書類名】明細書
【補正対象項目名】００３８
【補正方法】変更
【補正の内容】
【００３８】
図９（ａ）に示すように、１つの行において、画素Ａと画素Ｂが左右方向に交互に配置されている。このような構成によれば、隣接する画素Ａ、Ｂの間で画素電極と共通電極の上下の配置関係が逆転される。図１０は画素領域全体のレイアウト図である。各行で、画素Ａ，画素Ｂが左右方向に交互に配置されているが、列方向（上下方向）では同じ画素Ａ（または同じ画素Ｂ）が繰り返し配置されている。このようなレイアウトの液晶表示装置に対して、図１１（ａ）のライン反転駆動方式の表示信号Ｖｓｉｇを印加する場合の動作について説明する。図１１（ａ）の表示信号Ｖｓｉｇは１水平期間（１Ｈ）毎に、共通電位Ｖｃｏｍに対して極性が反転する。
【手続補正５】
【補正対象書類名】明細書
【補正対象項目名】００４１
【補正方法】変更
【補正の内容】
【００４１】
したがって、上述の液晶表示装置によれば、ライン反転駆動を行うだけで、画素領域ではドット反転駆動が行われることになる。これにより、フリッカーを抑制することができるとともに、周辺回路の構成が簡単になり、消費電力も低減される。
【手続補正６】
【補正対象書類名】明細書
【補正対象項目名】００４２
【補正方法】変更
【補正の内容】
【００４２】
次に本発明の第４の実施の形態について説明する。この実施の形態では、画素Ａ，Ｂを用いる点は第１、２および３の実施の形態と同じであるが、画素Ａ，Ｂの配置が異なっている。即ち、図１３に示すように、１つの行において、画素Ａ，Ｂは左右方向に交互に配置されているが、列方向（上下方向）にも交互に配置されている。すなわち、奇数行では、画素Ａ，Ｂは左右方向に交互に配置され、偶数行では画素Ａ，Ｂは逆の順番で左右方向に交互に配置されている。
【手続補正７】
【補正対象書類名】明細書
【補正対象項目名】００４３
【補正方法】変更
【補正の内容】
【００４３】
このような構成によれば、ライン反転駆動を行うことなく、図１２のドット反転駆動が可能になる。この場合、画素電極に印加される表示信号Ｖｓｉｇは図５（ａ）のように、１垂直期間（１Ｖ）毎に、共通電位Ｖｃｏｍに対して反転された信号となる。したがって、本実施の形態によれば、ライン反転駆動を行うことなく、ドット反転駆動が行われることになるので、第３の実施の形態に比して、さらに周辺回路の構成が簡単になり、消費電力も低減される。
【手続補正８】
【補正対象書類名】明細書
【補正対象項目名】００５６
【補正方法】変更
【補正の内容】
【００５６】
第１、第２、第３の実施の形態において、更に低消費電力化のために、図５（ｂ）のように共通電位Ｖｃｏｍを１水平期間（１Ｈ）毎に反転する対極ＡＣ駆動としてもよい。また、第４の実施の形態において、図５（ｂ）に示すように共通電位Ｖｃｏｍを１垂直期間（１Ｖ）毎に反転する対極ＡＣ駆動としてもよい。
【手続補正９】
【補正対象書類名】明細書
【補正対象項目名】００５７
【補正方法】変更
【補正の内容】
【００５７】
【図１】第１の実施の形態による液晶表示装置の画素レイアウト図である。
【図２】第１の実施の形態による液晶表示装置の画素レイアウト図である。
【図３】図１のＹ−Ｙ線に沿った断面図である。
【図４】第１の実施の形態による画素領域全体のレイアウト図である。
【図５】第１の実施の形態による表示信号Ｖｓｉｇの反転駆動を説明する図である。
【図６】ライン反転駆動を説明する図である。
【図７】第２の実施の形態による液晶表示装置の画素レイアウト図である。
【図８】第２の実施の形態による液晶表示装置の画素レイアウト図である。
【図９】第３の実施の形態による液晶表示装置の画素レイアウト図である。
【図１０】第３の実施の形態による画素領域全体のレイアウト図である。
【図１１】第３の実施の形態による表示信号Ｖｓｉｇの反転駆動を説明する図である。
【図１２】ドット反転駆動を説明する図である。
【図１３】第４の実施の形態による画素領域全体のレイアウト図である。
【図１４】第５の実施の形態による液晶表示装置の画素レイアウト図である。
【図１５】第５の実施の形態による液晶表示装置の画素の構造及び製造方法を説明する図である。
【図１６】第５の実施の形態による液晶表示装置の画素の構造及び製造方法を説明する図である。
【図１７】従来例の液晶表示装置の構造及び製造方法を説明する図である。
【図１８】従来例の液晶表示装置の構造及び製造方法を説明する図である。
【図１９】従来例の液晶表示装置の構造及び製造方法を説明する図である。